(57)【要約】      （修正有）【課題】折り戸、開き戸その他の扉が倒れるのを防止するため、扉の側端寄りの上下に装着された上下ピポットの構造改善による扉の倒れ防止機構を提供する。【解決手段】扉Ａの側端寄りの上下に、上ピボット３および下ピボット４が装着されている。前記上ピボット３は上側のレール５に取り付けられている上ピボット受け６に、前記下ピボット４は前記扉Ａの下方に位置する下ピボット受け７に嵌入されている。前記上ピボット３には軸方向に付勢するばねを備えている。このような扉Ａにおいて、前記扉Ａとこの扉Ａ付近にある定着物側とに跨るように長尺状の部材８を配置する。【選択図】図２
0003179180.tif 000002
【実用新案登録請求の範囲】
【請求項１】
折り戸、開き戸その他の扉の側端寄りの上下に、上ピボットおよび下ピボットが装着され、前記上ピボットは上側のレールに取り付けられている上ピボット受けに、前記下ピボットは前記扉の下方に位置する下ピボット受けに嵌入され、前記上ピボットには軸方向に付勢するばねを備えた扉であって、前記扉側とこの扉付近にある定着物側とに跨るように長尺状の部材を配置したことを特徴とする扉の倒れ防止機構。
【請求項２】
長尺状の部材をたるませることにより、長尺状の部材が扉の面に当らないようにしたことを特徴とする請求項１記載の扉の倒れ防止機構。
【考案の詳細な説明】
【技術分野】
【０００１】
本考案は、折り戸、開き戸その他の扉が倒れるのを防止するための機構に関し、さらに詳しくは、この扉の側端寄りの上下に、上ピボットおよび下ピボットが装着され、前記上ピボットは上側のレールに取り付けられている上ピボット受けに、前記下ピボットは前記扉の下方に位置する下ピボット受けに嵌入され、前記上ピボットには軸方向に付勢するばねを備えた扉が倒れるのを防止するための機構に関するものである。
【背景技術】
【０００２】
折り戸、開き戸その他の扉には、この扉の側端寄りの上下に、上ピボットおよび下ピボットが装着され、前記上ピボットは上側のレールに取り付けられている上ピボット受けに、前記下ピボットは前記扉の下方に位置する下ピボット受けに嵌入され、前記上ピボットには軸方向に付勢するばねを備えたものが提案されている（例えば、特許文献１参照）。
【先行技術文献】
【特許文献】
【０００３】
【特許文献１】特許第２７４２７６４号公報（図１、図２等）
【考案の概要】
【考案が解決しようとする課題】
【０００４】
このような扉に大きな力が掛ると、例えば、地震が起って扉に大きな力が掛ると、上ピボットの軸方向に付勢されているばねが圧縮され、上ピボット受けに嵌入されていた上ピボットが上ピボット受けから離脱し、扉が倒れてしまうという事態が起り得る。扉が倒れると、幼児などがその下敷きになるので、扉が倒れるのを防止することが強く望まれている。
【０００５】
本考案は、このような要望に応え得る倒れ防止機構を提供することを目的とするものである。
【課題を解決するための手段】
【０００６】
上記目的を達成するため、本考案では、折り戸、開き戸その他の扉の側端寄りの上下に、上ピボットおよび下ピボットが装着され、前記上ピボットは上側のレールに取り付けられている上ピボット受けに、前記下ピボットは前記扉の下方に位置する下ピボット受けに嵌入され、前記上ピボットには軸方向に付勢するばねを備えた扉であって、前記扉側とこの扉付近にある定着物側とに跨るように長尺状の部材を配置してある。
【０００７】
このようにした場合には、扉に大きな力が掛って上ピボットの軸方向に付勢されているばねが圧縮され、上ピボット受けに嵌入されていた上ピボットが上ピボット受けからたとえ離脱したとしても、一端が扉付近にある定着物側に定着されていて他端が扉側に定着されている長尺状の部材により、扉が倒れるのを防止することができる。
【０００８】
長尺状の部材をたるませることにより、長尺状の部材が扉の面に当らないようにしておくことが望ましい。このようにした場合には、たるんでいる長尺状の部材で扉の面を傷付けることがないというできるとが利点がある。特に、長尺状の部材がたとえ金属製であったとしても、扉の面に傷が付かない。
【０００９】
本考案における長尺状の部材として、例えば、チェン、ワイヤ、紐やロープその他の長尺状のものを挙げることができる。両端を扉側とこの扉付近にある定着物側とに最も簡単に定着できるのは、チェンであり、紐やロープよりも強度的にも優れている。また、比較的簡単にたるませることもできる。ワイヤの場合には、チェンよりも強度的に優れているが、両端を扉側とこの扉付近にある定着物側とに定着するのに、特別の部品が必要になりそうに思われる。また、たるませるのにも、工夫を要すると思われる。
【考案の効果】
【００１０】
請求項１記載の考案によれば、扉に大きな力が掛って上ピボットの軸方向に付勢されているばねが圧縮され、上ピボット受けに嵌入されていた上ピボットが上ピボット受けからたとえ離脱したとしても、一端が扉付近にある定着物側に定着されていて他端が扉側に定着されている長尺状の部材により、扉が倒れるのを防止することができる。しかも、本考案による扉の倒れ防止機構は、構造が極めて簡単なものである。
【００１１】
請求項２記載の考案によれば、たるんでいる長尺状の部材で扉の面を傷付けることがないのみならず、接触音もしにくいという利点がある。特に、長尺状の部材がたとえ金属製であったとしても、扉の面に傷が付かないのみならず、大きな接触音がしにくい。
【図面の簡単な説明】
【００１２】
【図１】本考案による扉の倒れ防止機構を備えた扉の一例を示す図で、(a)は扉の一部を切り欠いて示す概略図、(b)はこの扉に用いられている上ピボットの拡大図で、一部を切り欠いて示す。
【図２】図１(a)に示す扉の倒れ防止機構を備えた扉の縦断側面図で、長尺状の部材を扉側と上枠側とに跨がるように配置した場合を示す。
【図３】図１(a)に示す扉の倒れ防止機構を備えた扉を正面側から見た図で、長尺状の部材を扉側と縦枠側とに跨がるように配置した場合を示す。
【考案を実施するための形態】
【００１３】
本考案による扉の倒れ防止機構を備えた扉の一例を、図面に基いて詳細に説明する。
ここに例示する扉Ａは、２枚の扉板１，１を複数のヒンジ２，２を介して折り畳み自在に接続し、図１(a)の右側の扉板１の一側端寄り〔図１(a)の右側端寄り〕の上下の埋込筒１ａ，１ｂ内に、上ピボット３および下ピボット４が装着された形式のものである。そして、この扉Ａの上方に位置する上枠Ｂに上側のレール５が水平状に固定され、このレール５に取り付けられている上ピボット受け６に上ピボット３が嵌入せしめられ、また、前記上ピボット受け６に対向するごとく扉Ａの下方に位置させた下ピボット受け７に下ピボット４が嵌入せしめられる。
【００１４】
上ピボット３についてさらに詳しく説明すると、上ピボット３のピボット軸３ａの周囲には、図１(b)に示すように、回転自在の走行ローラ３ａを備えており、扉Ａの一側端寄り〔図１(a)の右側端寄り〕の扉板１の上側に装着される上ピボット３については、ピボット軸３ａの上端である突部３ｃが前記上ピボット受け６の窪み６ａに嵌入せしめられる。そして、前記ピボット軸３ａは上ピボット３の収納筒３ｄ内に収納されているばね３ｅにより軸方向に付勢されており、収納筒３ｄに対して進退自在である。そして、鍔３ｆより下側である前記収納筒３ｄ部分が前記扉板１の上側の埋込筒１ａ内に嵌入せしめられる。
【００１５】
ここでは、上ピボット３として回転自在の走行ローラ３ａを備えたものを使用した場合を例示したが、走行ローラ３ａを備えておらず、ピボット軸３ａの上端が直接上ピボット受け６の窪み（ピボット軸３ａの上端と同じ形状の窪みとする）に嵌入されるようにしても良い。
【００１６】
扉Ａの他方の扉板１の側端寄り〔図１(a)の左側端寄り〕の上側の埋込筒１ａ内にも、上で説明した上ピボット３をそのまま装着しても良いが、上で説明した上ピボット３に備えられているばね３ｅのみを有しない形式のものを装着することもできる。図１(a)の左側に現れるこの扉板１に装着される上ピボット３については、走行ローラ３ｂがレール５の溝内を回転しながら走行すれば良いから、前記ばね３ｅを有しない形式のものを用いることもできる。
【００１７】
一方、下ピボット７についてさらに詳しく説明すると、扉Ａの一側端寄り〔図１(a)の右側端寄り〕の扉板１の下側に装着される下ピボット４は、そのピボット軸４ａの先端（下端）に図１(a)に示すように突部４ｂを備えており、この突部４ｂが前記下ピボット受け７の窪み７ａに嵌入せしめられる。そして、鍔４ｃより上側であるピボット軸４ａ部分が、図１(a)に示すように、前記扉板１の下側の埋込筒１ｂ内に嵌入せしめられる。
【００１８】
かくして、上ピボット受け６に嵌入せしめられている上ピボット３と下ピボット受け７に嵌入せしめられている下ピボット４を軸芯として、図１(a)の右側の扉板１を動かすことができる。また、図１(a)の左側の扉板１については、複数のヒンジ２，２を介して図１(a)の右側の扉板１対して折り畳み自在に接続されているから、図１(a)に示すように、２枚の扉板１，１を開いた状態（扉Ａを閉じた状態）とし、逆に、図示はしないが、２枚の扉板１，１を閉じた状態（扉Ａを開いた状態）とすることができる。
【００１９】
なお、ここでは、図１(a)の右側に現れる扉板１の下側に１つの下ピボット４が装着されており、複数のヒンジ２，２を介して折り畳み自在に接続されている他方の扉板１には下ピボット４が装着されていない場合を例示するが、この扉板１に下ピボット４が装着されていても良い。この場合には、下ピボット４の突部４ｂを図１(a)の左右方向にスライドさせ得るように、当該扉板１の下方にレール（図示しない）を配置しておくと良い。
【００２０】
このような扉Ａに大きな力が掛ると、例えば、地震が起って扉に大きな力が掛ると、上ピボット３の軸方向に付勢されている前記ばね３ｅが圧縮され、上ピボット受け６に嵌入されていた上ピボット３の突部３ｃが上ピボット受け６の窪み６ａから離脱し、扉Ａが倒れてしまうという事態が起り得る。
【００２１】
そこで、このような扉Ａについては、扉Ａ側とこの扉Ａ付近にある定着物側とに跨るように、長尺状の部材８を配置する。図１(a)には、長尺状の部材８の図示を省略するが、図２には、長尺状の部材８を配置するに当って、扉Ａ付近にある定着物、すなわち、上枠Ｂを利用した場合を例示する。この場合には、例えば、扉Ａの一部である図１(a)の右側に現れる扉板１の面（図２の左側の面）と、この扉Ａ付近にあって上側のレール５が水平状に固定されている前記上枠Ｂの下面とに跨るように、長尺状の部材８を配置することができる。また、図３には、扉Ａ付近にある定着物、すなわち、縦枠Ｃを利用した場合を例示する。この場合には、例えば、扉Ａの扉板１、すなわち、図１(a)、図３の右側に現れる扉板１の面（図２の左側の面）と、この扉Ａ付近にある前記縦枠Ｃの側面とに跨るように、長尺状の部材８を配置することができる。さらに、図示はしないが、扉Ａ付近にある定着物、すなわち、扉Ａ付近にある上側のレール５を利用することもできる。この場合には、例えば、扉Ａの一部である図１(a)の右側に現れる扉板１の面（図２の左側の面）と、この扉Ａ付近にあって上側のレール５の側面とに跨るように、長尺状の部材８を配置することができる。
【００２２】
このようにした場合には、扉Ａや図１(a)の右側に現れる扉板１に大きな力が掛って上ピボット３の軸方向に付勢されているばね３ｅが圧縮され、上ピボット受け６の窪み６ａに嵌入されていた上ピボット３の突部３ｃが当該窪み６ａからたとえ離脱したとしても、扉Ａ付近にある定着物に一端が定着されていて他端が扉Ａの一部である図１(a)の右側に現れる扉板１の面に定着されている長尺状の部材８（図１(a)では、図示を省略してある）により、扉Ａや図１(a)の右側に現れる扉板１が倒れるのを防止することができる。
【００２３】
ここでは、上側のレール５が水平状に固定されている上枠Ｂの下面と、前記扉Ａの一部である図１(a)の右側に現れる扉板１の面（図２の左側の面）とに跨るように、配置されている前記長尺状の部材８を図２に示すようにたるませた場合を例示してある。このようにした場合には、長尺状の部材８が扉Ａや図１(a)の右側に現れる扉板１の面に当らないようにすることができ、たるんでいる長尺状の部材８で扉Ａや図１(a)の右側に現れる扉板１の面を傷付けることがないのみならず、接触音もしにくい。特に、長尺状の部材８がたとえ金属製であったとしても、扉Ａや図１(a)の右側に現れる扉板１の面に傷が付かないのみならず、大きな接触音がしにくい。
【００２４】
長尺状の部材８を図２に示すようにたるませないでピンと張った状態にしても良いが、この場合には長尺状の部材８を上枠Ｂの下面に定着する位置によって、扉Ａや図１(a)の右側に現れる扉板１の面（図２の左側の面）にピンと張った長尺状の部材８が擦り付けられ、扉Ａや図１(a)の右側に現れる扉板１の面に傷が付きやすい。したがって、上述したように、長尺状の部材８は図２に示すようにたるませておく方が良い。
【００２５】
長尺状の部材８として、例えば、チェン、ワイヤ、紐やロープその他の長尺状のものを挙げることができる。両端を上枠Ｂの下面と扉板１の面（図２の左側の面）とに最も簡単に定着できるのは、チェンである。図２において、符号９で示す取付金具を用いれば、チェンの両端を極めて容易に定着できる。また、チェンを用いた場合には、紐やロープよりも強度的にも優れている。さらに、比較的簡単にたるませることもできる。ワイヤの場合には、チェンよりも強度的に優れているが、両端を上枠Ｂの下面と扉板１の面（図２の左側の面）とに定着するのに、特別の部品が必要になりそうに思われる。また、たるませるのにも、工夫を要すると思われる。
【産業上の利用可能性】
【００２６】
ここでは、２枚の扉板１，１を複数のヒンジ２，２を介して折り畳み自在に接続した扉Ａを例に挙げて本考案を説明したが、扉Ａの側端寄りの上下に上ピボット６および下ピボット７が装着されている形式のものであれば、開き戸その他の扉にも広く適用することができる。
【符号の説明】
【００２７】
１…扉板、１ａ，１ｂ…埋込筒、２…ヒンジ、３…上ピボット、３ａ…ピボット軸、３ｃ…突部、３ｅ…ばね、４…下ピボット、４ａ…ピボット軸、４ｂ…突部、５…レール、６…上ピボット受け、６ａ…窪み、７…下ピボット受け、７ａ…窪み、８…長尺状の部材、９…取付金具、Ａ…扉、Ｂ…上枠。
【図１】
0003179180.tif 000003
【図２】
0003179180.tif 000004
【図３】
0003179180.tif 000005